(57)【要約】【課題】仮想空間において特に好適なコミュニケーションツールを提供すると共に、書籍や著作物を特定する情報がなくてもユーザの年齢などから目的とする著作物を容易に捜し出せるようにする。【解決手段】複数の連載漫画のタイトル・作者名及び連載期間を、掲載していた漫画雑誌名に関連付けて格納する書籍情報ＤＢ２１と、ユーザの年齢などの検索対象年代を特定する情報の入力を受け付ける検索情報受付手段２５と、入力情報に基いて特定された検索対象年代に掲載されていた複数の漫画とそれらを掲載した複数の雑誌を検索する書籍検索手段２６と、検索された全ての書籍名をユーザ端末に一覧表示して書籍の選択を受け付ける書籍選択受付手段２７と、選択された雑誌に、前記年代に含まれる時期に掲載された漫画のタイトルと作者名とをユーザ端末に表示させる漫画タイトル出力手段２８とを備えた。【選択図】  図２
2009129218.tif 000002
【特許請求の範囲】
【請求項１】
通信ネットワークを介してユーザの通信端末（ユーザ端末）に対して、複数の著作物コンテンツ（以下、「著作物」と称する）が複数回に亙って夫々掲載された書籍の情報を提供するシステムであって、
書籍に掲載された複数の著作物のタイトル・著作者名及び掲載された期間を、書籍名に関連付けて格納する書籍情報データベース（ＤＢ）と、
ユーザ端末から、ユーザの年齢や生年、世代などの検索対象年代を特定するための情報の入力を受け付ける検索情報受付手段と、
入力された情報に基いて検索対象年代を特定し、この年代の何れかの期間に何れかの書籍に掲載された複数の著作物、及びそれらの著作物が掲載された複数の書籍を前記書籍情報ＤＢから検索する書籍検索手段と、
検索された全ての書籍名をユーザ端末に一覧表示して１以上の書籍の選択を受け付ける書籍選択受付手段と、
選択された書籍に、前記年代に含まれる時期の何れかに掲載された著作物のタイトル及び著作者名をユーザ端末に表示させる著作物出力手段と
を備えたシステム。
【請求項２】
請求項１のシステムにおいて、
前記書籍検索手段は、ユーザが入力した情報に基いて複数の検索対象年代を特定し、この複数の年代毎に、前記書籍情報ＤＢから該当する書籍を検索するものであり、
前記書籍名受付手段は、年代毎に検索された書籍名をユーザ端末に夫々一覧表示して年第毎に書籍の選択を受け付ける
ことを特徴とするシステム。
【請求項３】
請求項１のシステムにおいて、
前記書籍は、複数種類の連載漫画を掲載する漫画雑誌であることを特徴とするシステム。
【請求項４】
請求項１のシステムにおいて、
さらに、
表示された著作物から１以上の著作物の選択を受け付ける著作物選択受付手段と、
選択された著作物を販売する事業者の情報や在庫状況などの販売関連情報をユーザ端末に表示させる販売関連情報表示手段と
を備えたことを特徴とするシステム。
【請求項５】
請求項４のシステムにおいて、
前記著作物選択受付手段は、一連の著作物の一部について購入可能である場合に、その購入可能単位ごとに著作物の選択を受け付けるものであることを特徴とするシステム。
【請求項６】
請求項１のシステムにおいて、
さらに、
ユーザを複数のタイプに区分するためのタイプ別評価ポイントを、少なくとも何れかの書籍及び／若しくは著作物に関連付けて格納する評価ポイントテーブルと、
ユーザ端末から、前記表示された著作物の中から１以上の著作物の選択を受け付ける著作物選択受付手段と、
選択された著作物及び／若しくはその著作物が掲載された書籍に基づいて前記評価ポイントテーブルから評価ポイントを収集してタイプ別のポイントを集計するポイント集計手段と、
集計されたポイントに従って、ユーザが該当するタイプを特定してユーザ端末に出力するタイプ判定手段と
を備えたことを特徴とするシステム。
【請求項７】
請求項１のシステムにおいて、
前記書籍情報ＤＢは、各書籍の表紙画像や書評、目次、発行部数、紹介記事などの書籍関連情報を書籍のタイトルに関連付けて格納するものであり、
前記著作物出力手段は、選択された著作物に関する書籍関連情報を前記書籍情報ＤＢから検索してユーザ端末に表示させる
ことを特徴とするシステム。
【請求項８】
請求項１のシステムにおいて、
前記書籍選択受付手段は、ユーザ端末から特定の書籍及び／若しくは著作物に対するテキストデータの入力を受け付けるものであり
前記著作物出力手段は、入力されたテキストデータを書籍名や著作物名の近傍に表示させる
ことを特徴とするシステム。
【請求項９】
通信ネットワークを介してユーザの通信端末（ユーザ端末）が接続される書籍情報提供システムによって実行され、このユーザ端末に対して、複数の著作物コンテンツ（以下、「著作物」と称する）が複数回に亙って夫々掲載された書籍の情報を提供する方法であって、
前記書籍情報提供システムは、書籍に掲載された複数の著作物のタイトル・著作者名及び掲載された期間を、書籍名に関連付けて格納する書籍情報データベース（ＤＢ）を備え、
この方法は、
前記システムの検索情報受付手段が、ユーザ端末から、ユーザの年齢や生年、世代などの検索対象年代を特定するための情報の入力を受け付ける検索情報受付工程と、
前記システムの書籍検索手段が、入力された情報に基いて検索対象年代を特定し、この年代の何れかの期間に何れかの書籍に掲載された複数の著作物、及びそれらの著作物が掲載された複数の書籍を前記書籍情報ＤＢから検索する書籍検索工程と、
前記システムの書籍選択受付手段が、検索された全ての書籍名をユーザ端末に一覧表示して１以上の書籍の選択を受け付ける書籍選択受付工程と、
前記システムの著作物出力手段が、選択された書籍に、前記年代に含まれる時期の何れかに掲載された著作物のタイトル及び著作者名をユーザ端末に表示させる著作物出力手段と
を備えたことを特徴とする方法。
【発明の詳細な説明】
【技術分野】
【０００１】
本発明は、通信ネットワークを介してユーザ端末が接続され、このユーザ端末に対して、複数の著作物コンテンツが複数回に亙って夫々掲載された書籍の情報を提供するシステム、及びこのシステムよって実行される方法に関する。
【背景技術】
【０００２】
雑誌などの書籍に連載されていた小説や漫画などの著作物は、世代や趣味・嗜好を簡単かつ明確に伝えられるため、自己紹介ツールとして好適である。特に、電子掲示板やブログなどの仮想空間におけるコミュニティにおいては、同一世代等の共通項は一層重要になる。
【０００３】
また、過去に購読していた著作物をまた購読したくなったり、最後まで購読しなかった著作物の続きを購読したい場合に、タイトルや作者などを思い出せないと、ＷＥＢ上で検索エンジンを使ったとしても捜し出すことは困難である。
【発明の開示】
【発明が解決しようとする課題】
【０００４】
本発明は、上記した課題を解決するためになされたもので、仮想空間において特に好適なコミュニケーションツールを提供すると共に、書籍や著作物を特定する情報がなくてもユーザの年齢などから目的とする著作物を容易に捜し出せるシステム及び方法を提供することを目的とする。
【課題を解決するための手段】
【０００５】
本発明によれば、通信ネットワークを介してユーザの通信端末（ユーザ端末）に対して、複数の著作物コンテンツ（以下、「著作物」と称する）が複数回に亙って夫々掲載された書籍の情報を提供するシステムであって、書籍に掲載された複数の著作物のタイトル・著作者名及び掲載された期間を、書籍名に関連付けて格納する書籍情報データベース（ＤＢ）と、ユーザ端末から、ユーザの年齢や生年、世代などの検索対象年代を特定するための情報の入力を受け付ける検索情報受付手段と、入力された情報に基いて検索対象年代を特定し、この年代の何れかの期間に何れかの書籍に掲載された複数の著作物、及びそれらの著作物が掲載された複数の書籍を前記書籍情報ＤＢから検索する書籍検索手段と、検索された全ての書籍名をユーザ端末に一覧表示して１以上の書籍の選択を受け付ける書籍選択受付手段と、選択された書籍に、前記年代に含まれる時期の何れかに掲載された著作物のタイトル及び著作者名をユーザ端末に表示させる著作物出力手段とを備えたシステム及びこのシステムによって実行される方法が提供される。
【発明の効果】
【０００６】
本発明によれば、ユーザが入力した年齢などから検索対象世代を特定し、その世代に連載されていた著作物を含む書籍をユーザに提示するようにした。そして、この書籍リストの中からユーザが当時購読していた書籍を選択することで、その書籍に当時連載されていた著作物をユーザに提供できる。これにより、ユーザは、自身の年齢などと購読していた書籍の情報を入力するだけで、目的とする著作物を容易に見つけ出すことができる。特に、ユーザの少年期、思春期などの複数の世代毎に購読していた書籍を提示して選択させるようにすれば、著作物の探索をより容易に行えるようになる。
【０００７】
また、購読していた書籍の数や種別、購読時の年齢などに基づいてユーザをカテゴライズしたり、所定のメッセージを出力する機能を付加することで、従来にない「書籍占い」を提供できる。
【０００８】
さらに、ユーザ端末に提示した著作物の在庫状況や販売店（仮想店舗・実店舗）の情報、その著作物の作者の他の作品なども提供する場合には、ユーザをその著作物や関連書籍等の購入に誘導することもできる。
【発明を実施するための最良の形態】
【０００９】
以下、本発明の実施の形態を図面に基づき説明する。  
図１は本発明の一実施形態に係るネットワーク構成図である。この図で符号１で示す書籍情報提供システムは、書籍情報を提供する事業者２のＷＥＢサーバやファイルサーバなどを構成する１又は２以上のコンピュータシステムに備えられており、インターネットなどの通信ネットワークを介して多数のユーザ３のＰＣや携帯電話などの通信端末（ユーザ端末）４に対して、複数の著作物コンテンツ（以下、「著作物」と称する）が複数回に亙って夫々掲載された書籍の情報を提供する機能を有する。以下においては、著作物の例として連載漫画を、また書籍の例として、複数種類の連載漫画を掲載する漫画雑誌を、夫々例にとって説明する。
【００１０】
ここで、本システム１で提供する書籍の情報や著作物の情報、著作者の作品の情報、後述する書店の情報や在庫の情報などは、随時アップデートする必要があるため、出版社や書店、卸し業者、業界団体などの取引業者５の管理システム６から定期的に、若しくは随時情報を取得して更新する。
【００１１】
このシステム１は、上記した書籍情報の検索機能（検索エンジン）に加えて、書籍占いの提供、書籍販売情報の提供（書籍販売の仲介やアフィリエイト）、及びユーザサポート（ユーザ情報の管理、掲示板の提供、ブログ情報の提供等）などの機能も備えている。各機能の詳細は後述する。
【００１２】
ユーザ３は、ユーザ端末４を使用してインターネット経由で前記事業者２のＷＥＢサーバに接続して、本システム１が提供するサービスを利用する。一部又は全部のサービスを会員限定にする場合には、ログイン時にユーザ認証を行う。
【００１３】
上記した機能を奏するため、本実施形態のシステム１は、図２に示すような構成を備えている。  
具体的には、このシステム１は、書籍情報提供事業者２のホストコンピュータに内蔵されたＣＰＵ１１にシステムバス１２を介してＲＡＭ１３、ＲＯＭやＨＤＤなどの外部記憶装置１４及び入出力インタフェース（Ｉ／Ｆ）１５が接続されて構成される。入出力Ｉ／Ｆ１５には、ディスプレイなどの出力装置１６、キーボードやマウスなどの入力装置１７、モデムなどの通信デバイス１８及びＦＤやＣＤ−ＲＯＭ、ＤＶＤ−ＲＯＭなどのリムーバブル記録媒体１９用のドライブ２０が夫々接続されている。外部記憶装置１４は、データ格納部１４ａとプログラム格納部１４ｂとを備えている。何れも、記憶装置１４内に確保された一定の記憶領域である。
【００１４】
このようなハードウェア構成において、オペレータが入力装置１７を操作して各種の指令（コマンド）を入力したり、通信Ｉ／Ｆや通信デバイス１８等を介して各種の指令を受信することで、プログラム格納部１４ｂにインストールされたソフトウェアプログラムがＣＰＵ１１によってＲＡＭ１３上に呼び出されて実行されることで、ＯＳ（オペレーションシステム）と協働してこの発明の機能を奏するようになっている。上記プログラムはリムーバブル記録媒体１９から導入することもできる。
【００１５】
データ格納部１４ａは、後述するソフトウェアによって演算された結果や、通信デバイス１８等を介してユーザ端末４や書店、出版社などの取引事業者５の管理システム６等から取得した情報が随時追加・更新される。
【００１６】
具体的には、データ格納部１４ａは、多数の書籍に関する情報を書籍のタイトルに関連付けて格納する書籍情報データベース（ＤＢ）２１と、ユーザを複数のタイプに区分するためのタイプ別評価ポイントを書籍の識別情報（ＩＤ）に関連付けて格納する評価ポイントテーブル２２と、判定されたユーザのタイプ別に表示される占いメッセージを、集計されたポイントやユーザの年齢、性別などに関連付けて格納する占いメッセージ格納部２３と、ユーザ３が公開に同意した書籍選択情報（選択された年代毎の書籍、判別されたタイプ等）や、ユーザ情報（年齢やハンドルネームなどのプロフィール）をユーザＩＤに関連付けて格納するユーザ情報データベース（ＤＢ）２４とを備えている。
【００１７】
書籍情報ＤＢ２１は、図３に示すように、書籍の出版社、主な購読者層（年齢層や性別）、発行部数、創刊時期などの書籍属性情報と、書籍に現在又は過去に掲載された複数の漫画のタイトル・それらの著作者名や掲載期間を含むコンテンツ情報と、各書籍の代表的な表紙画像、漫画の紹介記事や書評、漫画の単行本を販売している書店のＷＥＢサイトのＵＲＬ、在庫情報、著作者の他の作品などの書籍関連情報と、を格納している。
【００１８】
ポイントテーブル２２は、図４に示すように、性別毎に設定された複数の年代別に、選択された書籍の数に応じたポイントを格納している。図示の例は、男性について設定された「少年期」（〜１２歳）、「思春期」（１３歳〜１８歳）「青年期」（１９歳〜３０歳）、「中年期」（３１歳〜４９歳）、「壮年期」（５０歳〜）の各年代ごとに、購読していた書籍の冊数に応じて「０」「１〜４」「５〜８」の３段階でポイントが設定されている。女性の場合は、同様の５つの年代に分類されるが、漫画購読人口などを考慮して、「少女期」（〜１０歳）、「ローティーン」（１１歳〜１５歳）、「ハイティーン」（１６歳〜１９歳）、「２０代」（２０歳〜３０歳）、「３０代」（３１歳〜）のように設定年齢が若年層にシフトされる。
【００１９】
なお、前記書籍ＩＤに代えて、若しくは書籍ＩＤと共に、ポイントを漫画の識別情報（タイトルやＩＤなど）に関連付けて格納してもよい。また、書籍の属性情報（購読者層など）や年代に応じてポイントに重み付け（係数等）を割り付けたり傾斜配分をしてもよい。例えば、各雑誌について想定されている主要な購読者層をその性別及び世代（少年向け、３０代女性向け等）に関連付けておき、この購読者層以外のユーザから選択された場合にポイントを加算／減算する。
【００２０】
プログラム格納部１４ｂは、図２に示すように、書籍情報検索機能を実行する検索情報受付手段２５、書籍検索手段２６、書籍選択受付手段２７、漫画タイトル出力手段（著作物出力手段）２８及び漫画選択受付手段（著作物選択受付手段）２９と、書籍販売情報の提供機能を実行する販売関連情報表示手段３０と、「書籍占いの提供機能」を実行するポイント集計手段３１及びタイプ判定手段３２と、ユーザサポート機能を実行するユーザサポート手段３３と、を夫々備えている。これらの各手段は、実際には独立したコンピュータプログラム、そのジュールやコンポーネントである。
【００２１】
検索情報受付手段２５は、ユーザ端末４から、図６のサービストップページの入力ボックス４０に入力されたユーザ３の情報を取得してこのユーザ３の年齢を特定し、図７に示す世代毎の暦年とユーザ３の年齢とを含むフェーズウィンドウ４４を生成してユーザ端末４に表示させるものである。取得するユーザ情報としては、ユーザ３の年齢や生年、世代（昭和５０年代等）、小学校卒業年などの検索対象年代を特定するための情報と、性別と、ハンドルネームなどである。「世代」が入力された場合には、フェーズウィンドウ４４にはユーザ３の年齢は表示せず、その世代におけるユーザ３の年代だけを表示する。
【００２２】
書籍検索手段２６は、入力された情報に基いて前記５つの検索対象年代の暦年を特定し、前記書籍情報ＤＢ２２の各雑誌の出版年月日に基づいて、これらの年代の何れかの期間に何れかの漫画雑誌に掲載された複数の連載漫画、及びそれらの漫画が掲載された複数の漫画雑誌を検索するものである。掲載期間が複数の世代に跨がっている場合には、何れの世代でも検索される
【００２３】
書籍選択受付手段２７は、世代毎に検索された全ての書籍名をユーザ端末４に一覧表示して（図７参照）、ユーザ３が各世代で購読していた１以上の書籍の選択を夫々受け付けるものである。また、書籍の選択に際して、その時代や、特定の書籍・連載漫画等に対するユーザ３のコメント（テキストデータ）の入力を受け付けるようにしている（図７参照）。  
【００２４】
漫画タイトル出力手段２８は、選択された雑誌に、前記年代に含まれる時期の何れかに掲載された著作物のタイトル及び著作者名をユーザ端末４にリスト表示させるものである（図９参照）。また、この漫画タイトル出力手段２８は、前記選択された漫画に関する書籍関連情報（販売情報、作者の情報など）を前記書籍情報ＤＢ２２から検索してユーザ端末４に表示させる。なお、前記コメント（テキストデータ）が入力された場合は、図８の結果表示画面の雑誌名や漫画タイトルの近傍に表示される。
【００２５】
漫画タイトル選択受付手段２９は、表示された連載漫画の一覧から１以上の漫画の選択を受け付けて、その漫画の詳細情報を得るための補助情報を提供するものである。提供する情報としては、検索エンジンへのリンクや販売情報、作者の情報、他のユーザのコメント、選択回数（人数）のランキングなどである。ここで、漫画の販売情報を提供する場合で、一部の単行本だけが購入可能である場合には、その購入可能な単行本ごとに選択を受け付けるのが好ましい。
【００２６】
販売関連情報表示手段３０は、ユーザ３が選択した漫画を販売する書店（古本屋を含む）の情報（名称、連絡先、ＵＲＬ等）や在庫状況などの販売関連情報をユーザ端末４に表示させるものである。予めこれらの情報を収集して前記外部記憶装置１４に格納した中から検索してもよいし、特定の漫画が選択された場合に、検索エンジン等を使って検索し、検索結果を表示させてもよい。
【００２７】
ポイント集計手段３１は、ユーザ３から選択された雑誌の数や、その属性、ユーザ３の当時の年齢や性別に基づいて前記評価ポイントテーブル２２から評価ポイントを収集してタイプ別のポイントを集計するものである。ここで、本実施形態では、５つの世代毎のポイントと、全ての世代のポイントとを夫々集計するようにしている。
【００２８】
タイプ判定手段３２は、集計された世代毎のポイント及び合計ポイントに従って、５つのタイプからユーザ３が該当するタイプを判定してユーザ端末４に出力する。本実施形態では、図４に示したように、漫画を購読数が多い順に「神」「博士」「貴族」「遊び人」「修行僧」に分類している。
【００２９】
また、このタイプ判定手段３２は、前記５つのタイプに加えて、ユーザが図４に示した２４３通りのパターンのどれに属するかも判定して、各パターン毎に設定された１〜３の定形メッセージを合成して「書籍占い」として出力する機能も備えている。１番目の定形メッセージは５つタイプに合わせて５種類が用意されているが、２、３番目は、同じタイプ内でも上記のパターンによって複数のメッセージが設定されている。これにより、占い結果は、百種類以上にできる。
【００３０】
ユーザサポート手段３３は、ユーザ３が自身のホームページやブログに書籍占いの結果を「自己紹介」などとして利用したい場合に、占い結果のＵＲＬのリンク情報を提供するものである（図１０参照）。これにより、ユーザに、同世代の人達との共通の話題を提供できると共に、このユーザのブログ等を通じて書籍情報管理事業者２のサービスを口コミで周知させることができる。
【００３１】
以下、このシステム１の詳細な機能を実際の動作と共に、図５のフローチャート及び図６〜図１０のサービス提供画面の例を参照して説明する。  
まず、図６のサービストップ画面で、ユーザ３がユーザ端末４から入力ボックス４０の各入力欄にユーザ名と生年と性別とを含む検索条件を入力して「ハジメル」ボタンをマウスやキーボードで押すことで以下の処理が開始する（ステップＳ１）。また、このトップページには、占い結果を自身のブログにリンクさせたユーザの新着情報４１や、占い結果の公開に同意したユーザのリスト４２も表示される。これにより、ユーザ同士のコミュニケーションを促し、このＷＥＢサイトへのアクセスを増大させることができる。
【００３２】
前記検索情報受付手段２５は、入力された情報を取得して必要に応じてこのユーザ３の年齢を計算し（ステップＳ２）、図７に示すフェーズボックス４４を生成すると共に（ステップＳ３）、この年齢と暦年とを対応させた５つの世代毎の年齢範囲を書籍検索手段２６に受け渡す（ステップＳ４）。書籍検索手段２６は、取得した年代に何れかの雑誌に連載されていた漫画を前記書籍情報ＤＢ２１の連載期間に基づいて全て検索し（ステップＳ５）、その漫画が掲載されていた雑誌を特定して（ステップＳ６）、その雑誌のＩＤ、タイトル、表紙画像などを取得する。このようにして収集されたデータに基づいて、前記検索情報受付手段２５が図７に示すフェーズボックス４４及び雑誌リストボックス４５を生成してユーザ端末４に表示させる。
【００３３】
ユーザ３が、端末４のディスプレイに表示された５つの世代毎の雑誌リストボックス４５の中から、自身が購読していたものを選択すると、その選択された情報を前記書籍選択受付手段２７が取得する（ステップＳ７）。選択できるのは各世代で８冊までに設定している（０冊〜４０冊）。
【００３４】
図７の選択画面において、ユーザ３が書籍リストボックス４４内の書籍名を選択してハイライト表示させると、メモリに格納された当該書籍の表紙画像が画像表示欄４５に表示される。ユーザ３は、この画像を参照して購読していた雑誌を思い出せる。そして、この状態で「追加」ボタンを押すか書籍名をダブルクリックすると、選択された書籍が右側の選択済みボックス４６に移動すると共に、書籍リストボックス４４から削除される。ユーザ３が図示しない「ケッカ」ボタンを押すまでこの処理を繰り返す（ステップＳ８）。
【００３５】
ついで、書籍占いの処理が行われる。  
まず、前記ポイント集計手段３１が、ユーザ３から選択された世代毎の書籍の数と全ての書籍の数（ポイント）に従って、図４のポイントテーブル２２からこのユーザの選択パターンを特定する（ステップＳ９）。なお、上記したように、この時点で、選択された書籍の購読層と、ユーザの属性とが合致していない場合に、「乱読」「節操なし」「好奇心旺盛」「博学」等として、評価ポイントを高く／低くしてもよい。
【００３６】
次いで、前記タイプ判定手段３２が、集計された世代毎のポイント及び合計ポイントに従って、５つのタイプからユーザ３が該当するタイプを判定すると共に（ステップＳ１０）、上記特定された選択パターンに従って図４に示した１〜３番目のメッセージを合成して「書籍占い」情報を生成する（ステップＳ１１）。
【００３７】
また、前記書籍検索手段２６が検索してメモリに格納しておいた書籍情報とその書籍に掲載されていた漫画の情報の中から、ユーザに選択された書籍及び漫画の情報を収集する（ステップＳ１２）。そして、この書籍・漫画情報と前記書籍占いの情報とを所定の表示フォーマットに合成して図８の結果画面をユーザ端末４に表示させる（ステップＳ１３）。この例では、書籍占いの各タイプの比率も集計して表示している。
【００３８】
図８の結果表示画面の「モットミル」ボタンが押されると（ステップＳ１４のＹｅｓ）、前記漫画タイトル出力手段２８及び販売関連情報表示手段３０が起動して夫々の処理を実行する。まず、漫画タイトル出力手段２８は、ユーザ３から選択された雑誌に、前記年代に含まれる時期の何れかに掲載された全ての漫画のタイトル及び著作者名を特定して販売関連情報表示手段３０に受け渡す。販売関連情報表示手段３０は、取得した漫画の中から、この書籍情報提供事業者２に在庫がある（販売可能な）漫画を特定する。そして、これらの情報を統合して、図９のリスト画面を生成してユーザ端末５に表示させる（ステップＳ１５）。図９の上段６０に列挙された作者の漫画は在庫があり、購入及び試読が可能である。この作者名には、購入及び試読ページへのリンクが設定されているので、ユーザは作者名をクリックすることで容易にコミックの購読が可能になる。なお、漫画タイトルをリスト表示してもよい。
【００３９】
また、図９の画面の下段６１には、在庫はないが、ユーザ３が選択した書籍に当時掲載されていた全ての漫画のタイトルとその作者が列挙されている。この作者名及び漫画タイトルには、前記漫画タイトル選択受付手段２９によって、関連情報を検索したり紹介しているＷＥＢサイトのＵＲＬへのリンクが設定されており、ユーザは漫画をすぐには購入できなくても、関連情報を容易に得ることができる。
【００４０】
図８の結果表示画面において、ユーザが「ミセル」ボタンを押した場合は（ステップＳ１６のＹｅｓ）、前記ユーザサポート手段３３が起動し、図１０のプログパーツを生成して表示させる（ステップＳ１７）。このプログパーツは、本システム１の外部記憶装置１４に格納された当該ユーザの占い結果の格納領域を示すＵＲＬが設定された所定フォーマットの「シール」である。ユーザＡのブログに張られたシールを他のユーザＢがクリックすることで、このユーザＡの書籍占い結果や、このユーザＡが選択した年代毎の書籍のタイトル等（図８参照）を参照できる。これにより、他のユーザＢに先のユーザＡの書籍の嗜好を明確に伝えることができると共に、このユーザＢに事業者２のサービスを周知させることができる。また、「ミセル」ボタンが選択されると、図６のサービストップ画面で、新着情報４１として表示される。
【００４１】
なお、この発明は上記の実施形態に限定されるものではなく、発明の要旨を変更しない範囲で種々変形可能である。
【００４２】
例えば、上記実施形態においては、著作物の例として連載漫画を、書籍として漫画雑誌を挙げたが、これらに限られない。例えば、連載小説や特定テーマで連載される絵画や写真、エッセー、論評などでもよく、そのような著作物を掲載する書籍も新聞や電子書籍、商品カタログ、パンフレット、リーフレットなどでもよい。
【図面の簡単な説明】
【００４３】
【図１】図１は、本発明の一実施形態のネットワーク構成図である。
【図２】図２は、同、書籍情報提供システムの機能ブロック図である。
【図３】図３は、同、書籍情報ＤＢの情報を模式的に示す表図である。
【図４】図４は、同、ポイントテーブルの情報を模式的に示す表図である。
【図５】図５は、同、処理工程を示すフローチャートである。
【図６】図６は、同、取引画面の一例を示す図である。
【図７】図７は、同、取引画面の一例を示す図である。
【図８】図８は、同、取引画面の一例を示す図である。
【図９】図９は、同、取引画面の一例を示す図である。
【図１０】図１０は、同、取引画面の一例を示す図である。
【符号の説明】
【００４４】
１  書籍情報提供システム
２  書籍情報提供事業者
３  ユーザ
４  ユーザ端末
２１  書籍情報データベース（ＤＢ）
２２  ポイントテーブル
【図１】
2009129218.tif 000003
【図２】
2009129218.tif 000004
【図３】
2009129218.tif 000005
【図４】
2009129218.tif 000006
【図５】
2009129218.tif 000007
【図６】
2009129218.tif 000008
【図７】
2009129218.tif 000009
【図８】
2009129218.tif 000010
【図９】
2009129218.tif 000011
【図１０】
2009129218.tif 000012